(57)【特許請求の範囲】
【請求項１】
テープ状の紙シートに撚紙機により撚りをかけ、該紙シートの長手方向に沿って多数のしわを付し、この撚りをかけたものの撚り断面をプレスして扁平にした紙紐であって、
紙シートは撚紙機による撚り度合が10cmの長手方向範囲に１回転の撚り回転を施す撚り度合、ないし90cmの長手方向範囲に１回転の撚り回転を施す撚り度合の範囲内に定められるゆるい撚りをかけられてなる紙紐。
【請求項２】
前記紙シートが撚紙機による撚り過程でそれらの巾方向の端縁部のうち、撚り断面の外側に位置する端縁部を内折り込み状とし、端縁部の切刃状エッジを紙紐の表面に露出させない請求項１に記載の紙紐。
【請求項３】
複数枚の紙シートを撚り合せてなる請求項１又は２に記載の紙紐。
【発明の詳細な説明】
【０００１】
【発明の属する技術分野】
本発明は紙紐に関する。
【０００２】
【従来の技術】
従来、梱包用の紙紐として、特開2000-129547に示す如く、テープ状の紙シートに撚りをかけた丸棒状のものがある。
【０００３】
また、梱包用の他の紙紐として、特許3152646に記載の如く、帯板の両端部を中央部に折り曲げ、折り曲げた両端部を中央部に接着剤で全面接着した平板状のものがある。
【０００４】
【発明が解決しようとする課題】
特開2000-129547の紙紐には以下の問題点がある。
▲１▼古紙リサイクルのための古新聞等の梱包に用いたとき、紙紐が硬い丸棒状をなしているため、該紙紐の結び目が硬い丸味面同士の接触になって互いになじみにくく、ゆるみ易いものとなり、結束性に劣る。
【０００５】
▲２▼古新聞等を梱包した紙紐に手指を差し入れてこれを運搬するとき、丸棒状の硬い紐が手指に食い込み、手指に痛みを与える。
【０００６】
▲３▼丸棒状の紙紐は撚り密度が高密度で硬いため、古紙としての再生利用時に水に溶けにくく、古紙としての再生利用性が悪い。
【０００７】
特許3152646の紙紐には以下の問題点がある。
▲１▼帯板を単に折り曲げ接着して平板状の紐としたものであり、引張強度が弱い。
【０００８】
▲２▼古新聞等の梱包に用いたとき、紙紐が帯板の折り曲げ体であって表面が平滑であり、該紙紐の結び目がゆるみ易く、結束性に劣る。
【０００９】
▲３▼古新聞等を梱包した紙紐に手指を差し入れてこれを運搬するとき、紙紐が帯板の折り曲げ体で、しかも接着剤により固化されているため、紙紐の硬い両側縁部が手指に食い込み、手指に痛みを与える。
【００１０】
▲４▼紙紐は帯板の折り曲げ接着体であり、古紙としての再生利用時に水に溶けにくく、古紙としての再生利用性が悪い。
【００１１】
本発明の課題は、高い引張強度を有し、結束性に優れ、手指に食い込みにくく、古紙としての再生利用性も良い紙紐を提供することにある。
【００１２】
【課題を解決するための手段】
請求項１の発明は、テープ状の紙シートに撚紙機により撚りをかけ、該紙シートの長手方向に沿って多数のしわを付し、この撚りをかけたものの撚り断面をプレスして扁平にした紙紐であって、紙シートは撚紙機による撚り度合が10cmの長手方向範囲に１回転の撚り回転を施す撚り度合、ないし90cmの長手方向範囲に１回転の撚り回転を施す撚り度合の範囲内に定められるゆるい撚りをかけられてなるようにしたものである。
【００１３】
請求項２の発明は、請求項１の発明において更に、前記紙シートが撚紙機による撚り過程でそれらの巾方向の端縁部のうち、撚り断面の外側に位置する端縁部を内折り込み状とし、端縁部の切刃状エッジを紙紐の表面に露出させないようにしたものである。
【００１４】
請求項３の発明は、請求項１又は２の発明において更に、複数枚の紙シートを撚り合せてなるようにしたものである。
【００１５】
【作用】
本発明によれば以下の作用がある。
(1)紙シートを撚ることにより、高い引張強度を得ることができる。
【００１６】
(2)古新聞等の梱包に用いたとき、紙紐が撚りによって柔軟になり、かつ扁平状にされているから、該紙紐の結び目が互いになじみ易く、ゆるみにくいものとなり、結束性に優れる。
【００１７】
(3)古新聞等を梱包した紙紐に手指を差し入れてこれを運搬するとき、紙紐が撚りによって柔軟になり、かつ扁平状にされているから、該紙紐が手指に食い込みにくく、手指に痛みを与えにくい。
【００１８】
(4)扁平状の紙紐は撚り密度が低密度でほぐれ易いため、古紙としての再生利用時に水に溶け易く、古紙としての再生利用性が良い。
【００１９】
(5)紙紐は紙シートを撚紙機にセットして撚りをかけるときに、紙シートの長手方向に沿う多数のしわを容易に付すことができる。このしわは、紙紐を柔軟にし、前述(2)の結束性、前述(3)の手指の食い込みにくさをより向上する。
【００２０】
(6)複数枚の紙シートを撚り合せることにより、前述(1)の強度をより向上できる。
【００２１】
【発明の実施の形態】
図１は第１実施形態の紙紐を製造するための紙シートを示す平面図、図２は紙紐を示し、（Ａ）は平面図、（Ｂ）は拡大端面図、（Ｃ）は扁平加工前の拡大端面図、図３は第２実施形態の紙紐を製造するための紙シートを示す平面図、図４は紙紐を示し、（Ａ）は平面図、（Ｂ）は拡大端面図、（Ｃ）は扁平加工前の拡大端面図である。
【００２２】
（第１実施形態）（図１、図２）
第１実施形態は、２枚の紙シート１１、１２を図１に示す如くに隣り合せに並列配置し、両紙シート１１、１２をこの隣り合せ状態で撚紙機にセットして撚り合せ、これを扁平にして図２に示す如くの紙紐２０を製造したものである。
【００２３】
紙シート１１、１２は例えば古紙100％の再生紙からなる、例えば巾30mm〜70mm、好適には50mmの長尺テープ状シートである。
【００２４】
紙シート１１、１２は撚紙機による撚り度合（以下、撚り密度）を例えば1回／10cm〜1回／90cm、好適には1回／50cm（50cmの長手方向範囲に1回転の撚り回転を施す）となるゆるい撚りを付される。尚、丸棒状の紙紐では、紙シートに与える撚り密度が例えば28回／30cmの如くのきつい撚りとなる。
【００２５】
紙シート１１、１２は撚紙機による撚り過程で、撚りの回転方向を無秩序とするように自在に暴れるのが一般的であり、その撚り断面は例えば図２（Ｃ）に示す如くになる。また、紙シート１１、１２は撚紙機による撚り過程で、全巾に渡る各所にて長手方向に沿う多数のしわ２１を付される。
【００２６】
撚紙機で撚りをかけられた紙シート１１、１２は、巻取機への巻取過程で、プレス手段によりプレスされ、その撚り断面を図２（Ｂ）に示す如くに扁平化され、紙紐２０になる。紙紐２０は、紙シート１１、１２の撚り断面を扁平化されることにより、その撚り状態を固定化される。撚り状態の固定化のために接着剤等を必要としない。
【００２７】
紙紐２０は、撚りをかけられることによって柔軟にされ、しわ２１を付されることによって更に柔軟性を増す。尚、紙紐２０は、紙シート１１、１２の撚紙機による撚り過程でそれらの巾方向の端縁部のうち、撚り断面の外側に位置する端縁部２２を内折り込み状とし、端縁部２２の切刃状エッジ２２Ａを該紙紐２０の表面に露出させないことで使用者の手指を傷つけない。但し、端縁部２２の内折り込み化は必須としない。
【００２８】
本実施形態によれば以下の作用がある。
▲１▼紙シート１１、１２を撚ることにより、高い引張強度を得ることができる。
【００２９】
▲２▼古新聞等の梱包に用いたとき、紙紐２０が撚りによって柔軟になり、かつ扁平状にされているから、該紙紐２０の結び目が互いになじみ易く、ゆるみにくいものとなり、結束性に優れる。
【００３０】
▲３▼古新聞等を梱包した紙紐２０に手指を差し入れてこれを運搬するとき、紙紐２０が撚りによって柔軟になり、かつ扁平状にされているから、該紙紐２０が手指に食い込みにくく、手指に痛みを与えにくい。
【００３１】
▲４▼扁平状の紙紐２０は撚り密度が低密度でほぐれ易いため、古紙としての再生利用時に水に溶け易く、古紙としての再生利用性が良い。
【００３２】
▲５▼紙紐２０は紙シート１１、１２を撚紙機にセットして撚りをかけるときに、紙シート１１、１２の長手方向に沿う多数のしわを容易に付すことができる。このしわは、紙紐２０を柔軟にし、前述▲２▼の結束性、前述▲３▼の手指の食い込みにくさをより向上する。
【００３３】
▲６▼複数枚の紙シート１１、１２を撚り合せることにより、前述▲１▼の強度をより向上できる。
【００３４】
（第２実施形態）（図３、図４）
第２実施形態が第１実施形態と異なる点は、図３に示す如くの１枚の紙シート３１を用いて紙紐４０（図４（Ａ）〜（Ｃ））を製造したことにある。紙シート３１の撚り加工方法、扁平加工方法は第１実施形態におけると同様である。紙紐４０も多数のしわ４１を付され、外側に位置する端縁部４２（エッジ４２Ａ）を内折り込み状とすることができる。
【００３５】
第２実施形態にあっても、第１実施形態において前述した▲１▼〜▲５▼の作用を奏する。尚、第１実施形態の２枚の紙シート１１、１２の合計巾Ｗと、第２実施形態の１枚の紙シート３１の巾Ｗとを同じにするとき、２枚の紙シート１１、１２を撚り合せた紙紐２０の方が１枚の紙シート３１からなる紙紐４０より高強度を示す。
【００３６】
本発明の実施において、複数枚の紙シートは、上下に積層した重ね合せ状態で撚紙機にセットして撚り合せても良い。
【００３７】
また、紙紐は感温型接着剤を外面にコーティングされても良い。
また、紙紐の素材となる紙シートは古紙再生紙に限らない。
【００３８】
【発明の効果】
以上のように本発明によれば、高い引張強度を有し、結束性に優れ、手指に食い込みにくく、古紙としての再生利用性も良い紙紐を得ることができる。
【図面の簡単な説明】
【図１】図１は第１実施形態の紙紐を製造するための紙シートを示す平面図である。
【図２】図２は紙紐を示し、（Ａ）は平面図、（Ｂ）は拡大端面図、（Ｃ）は扁平加工前の拡大端面図である。
【図３】図３は第２実施形態の紙紐を製造するための紙シートを示す平面図である。
【図４】図４は紙紐を示し、（Ａ）は平面図、（Ｂ）は拡大端面図、（Ｃ）は扁平加工前の拡大端面図である。
【符号の説明】
１１、１２、３１  紙シート
２０、４０  紙紐
２１、４１  しわ
【図１】
0003983030.tif 000002
【図２】
0003983030.tif 000003
【図３】
0003983030.tif 000004
【図４】
0003983030.tif 000005